(57)【特許請求の範囲】
【請求項１】
残留変形度が低いポリマー材料から一体部材として製造され、圧縮されたときに充分な衝撃吸収性をもたらすように柔軟であり、跳ね返って永久に変形しないように充分な弾力性を有する特質が備わった靴インサート（１）であって、
前記靴インサート（１）の表面部に位置する複数の空所（２）を有し、前記空所（２）のそれぞれが、前記靴インサート（１）の裏面部から外方へ延出し前記靴インサート（１）上のユーザの歩行動作によって圧縮可能である衝撃吸収要素（３）に対応する、複数の第１の衝撃吸収体を備え、
前記空所（２）は前記衝撃吸収要素（３）の内側に一致し、前記空所（２）のそれぞれは外縁（２１）と内側凸部（４）とを備え、前記内側凸部（４）は、対応する前記空所（２）を完全には満たしていなく、
前記ユーザの体重によって、前記外縁（２１）が前記内側凸部（４）の上に支持されるまで前記外縁（２１）がたわみ、第１の衝撃吸収体より強い第２の衝撃吸収体として作用し、
前記ユーザの体重が前記内側凸部（４）上に圧力を加えることを止めると、前記第１の衝撃吸収体は初期位置まで跳ね返り、
前記内側凸部（４）は、前記内側凸部（４）が接触する前記ユーザの足におけるそれぞれの箇所に適合され、支持される重さに応じて、調整された支持部を前記足の裏に形成し、
前記靴インサート（１）は、前記第１の衝撃吸収体の前記空所（２）を連結し、空気をかかと区域から足の裏まで循環させるように構成された複数の流路（５）をさらに備える、
靴インサート。
【請求項２】
請求項１に記載の靴インサート（１）を備える、靴。
【発明の詳細な説明】
【技術分野】
【０００１】
本発明の対象は、足のための複数の衝撃吸収体から構成されていて、満足感と快適感を達成する靴用インサートである。
【背景技術】
【０００２】
衝撃吸収性があり、通常は、ばねまたは他の同様の衝撃吸収要素を靴用中底の中へ挿入することに基づいた、異なる種類の靴用中底が現在存在している。しかしながら、これらの解決策は、複雑な製造工程が必要であるため、技術的に複雑なものである。
【先行技術文献】
【特許文献】
【０００３】
【特許文献１】国際公開第ＷＯ９９４７０１４号パンフレット
【発明の概要】
【発明が解決しようとする課題】
【０００４】
衝撃吸収インサートのうちで、国際公開第ＷＯ９９４７０１４号パンフレットのものを有しており、同パンフレットには、複数の支持要素を備えたインサートであって、このインサートを作り上げる２つの部材の間に形成された空気室と組み合わされて衝撃吸収性をもたらすインサートが記載されている。また、これらの支持要素は、多くの空気通路を介して相互に連結されている。
【課題を解決するための手段】
【０００５】
本発明によって推奨された靴用インサートは、基本的に、残留変形度が低いポリマー材料の一体部材として製造されたインサートからなっている。このインサートの上面、言い換えると通常は足に対向している側面は、インサートの下面から突出する凸部または衝撃吸収体に対応する一組の空間から構成されている。これらの衝撃吸収要素は、ユーザの体重によって圧縮されたときにたわみ、その歩行動作からの衝撃を吸収し、従って、満足感と快適感を獲得するような手段で、構成されている。
【０００６】
衝撃吸収要素または凸部の内側部分を構成する空間では、衝撃吸収区域の中に完全には満たされていないベースが挿入されている。その理由は、このような手段によれば、体重が加わると、その空間の外縁が内側ベースまたは内側凸部の上に支持されるまでたわみ、第２のより強い衝撃吸収性をもたらし、同時に、足の重さがそれらを押し付けなくなると、衝撃吸収体をそれらの初期位置まで戻すのに役立ち、それによって、使用に伴う効率の低下と歩行による効率の低下を防止するからである。
【０００７】
これらの内側凸部は、内側凸部が接触する足におけるそれぞれの箇所に適合され、また、内側凸部がそのときに支持している重さに応じて、表面接触区域の大きさとそれがそれぞれの箇所で支持する重さとによって、調整された一種の支持部を足の裏に形成する。
【０００８】
利点としては、記載された衝撃吸収インサートには、自然な歩行方法における場合と同じように、空気をかかとから足裏へ循環させる特性もある。衝撃吸収と通気とのこのような二重効果は、衝撃吸収凸部を形成するのと同じ機構によって、言い換えると、それらの圧縮によって作られる。このようにして、それらが圧縮されると、空気はこれらの空所を通して外側へ押しやられ、衝撃吸収体と相互に連結する流路を通して循環して、足の裏の長さおよび幅の全体にわたって必要な快適感をもたらす空気流を生成する。
【００１０】
本明細書および特許請求の範囲の全体を通して、「ｃｏｍｐｒｉｓｅｓ（備えている）」という用語およびその類義語は、他の技術的特性、付加物、構成要素または工程を排除することを意図していない。当業者にとって、本発明の他の目的、利点および特性は、一部は明細書から導き出され、また、一部は本発明を実施することから導き出される。以下の例および図面は、例示をもたらすものであるとともに、本発明を制限することを意図していない。加えて、本発明は、本明細書に表示された特定のかつ好ましい実施形態のすべての可能な組み合わせに及ぶ。
【図面の簡単な説明】
【００１１】
【図１】図１は、本発明の目的であるインサートの上面図を示している。
【図２】図２は、図１に示されたインサートのかかとの詳細図を示している。
【図３】図３は、本発明の目的であるインサートの裏面部の図を示している。
【発明を実施するための形態】
【００１２】
図１に見ることができるように、本発明において推奨された靴用インサートは、残留変形度が低いポリマー材料から製造されて、圧縮によって衝撃吸収効果が達成されるように充分に柔軟であるが、使用の条件によって保証された時間枠に先立って回復するとともに永久に変形しないような充分な特質が備わった一体型インサート（１）から基本的に構成される。このインサートは、衝撃吸収特性をもたらし、多数の空所（２）を有し、それぞれが凸部または衝撃吸収要素（３）に対応し、インサートの裏面部から外方へ延出する複数の要素（図３）と、衝撃吸収要素（２、３）がユーザの体重によって圧縮されると、たわむとともに、歩行動作によって作られた衝撃を吸収するように構成された区域と、から作られている。
【００１３】
空所（２）には、衝撃吸収要素（３）の内側を構成するものとして表示されたように、内側ベースまたは内側凸部（４）が挿入されており、これは、衝撃吸収要素（３）の空所区域を完全には満たしていないが、その理由は、このような手段によれば、体重によって、それがベースまたは内側凸部（４）の上に支持されるまで外縁がたわみ（２１）、次いで、より強い第２衝撃吸収体として作用し、同時に、足の重さがそれらにわたる圧力を作用させなくなると、それらの初期位置まで衝撃吸収体を戻すのに役立ち、それによって、使用に伴う効率と歩行による効率が低下しないからである。
【００１４】
これらの内側凸部（４）は、内側凸部が接触するとともに、内側凸部がそれぞれの時点で支持している重さに応じて、調整された一種の支持部を足裏に作る足のそれぞれの箇所に適合される。
【００１５】
本発明のある実施形態では、インサート（１）には、衝撃吸収要素（２、３、４）に連通しており、空気をかかとから足の裏まで循環させるように構成された複数の流路（５）もまた備わっている。
【図１】
0005442107.tif 000002
【図２】
0005442107.tif 000003
【図３】
0005442107.tif 000004